【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
アドレス情報に従ってデータの送信を行うデータ通信装置とネットワークを介して接続され、前記データ通信装置が利用するアドレス情報を管理する情報処理装置であって、
送信先となるアドレス情報毎にセキュリティレベルを設定したアドレス帳データを記憶する第１記憶手段と、
前記データ通信装置から発行される前記アドレス帳データのダウンロード要求を受信する第１受信手段と、
前記ダウンロード要求を発行した前記データ通信装置のユーザのユーザ権限と、前記アドレス帳データ中の各アドレス情報に設定されているセキュリティレベルに基づいて、前記アドレス帳データ中のアドレス情報を抽出する第１抽出手段と、
前記第１抽出手段で抽出したアドレス情報からなるアドレス帳データを前記データ通信装置へ送信する送信手段と
を備えることを特徴とする情報処理装置。
【請求項２】
前記データ通信装置からアドレス帳データを受信する第２受信手段と、
前記第２受信手段で受信したアドレス帳データを前記データ通信装置のユーザのユーザ権限に基づいて、前記アドレス帳データ中のアドレス情報を抽出する第２抽出手段と、
前記第２抽出手段で抽出したアドレス情報からなるアドレス帳データを記憶する第２記憶手段と
を更に備えることを特徴とする請求項１に記載の情報処理装置。
【請求項３】
データ送信部と、ユーザからの操作を受け付ける操作部を有するデータ通信装置であって、
前記データ送信部から送信する送信先となるアドレス情報毎にセキュリティレベルを設定したアドレス帳データを記憶する第１記憶手段と、
前記操作部に対する操作に基づいて、当該データ通信装置のユーザのユーザ権限を取得する第１取得手段と、
前記第１取得手段で取得したユーザ権限と、前記アドレス帳データ中の各アドレス情報に設定されているセキュリティレベルに基づいて、前記アドレス帳データ中のアドレス情報を抽出する第１抽出手段と、
前記第１抽出手段で抽出したアドレス情報からなるアドレス帳データを表示する第１表示手段と
を備えることを特徴とするデータ通信装置。
【請求項４】
前記操作部を介して、前記アドレス帳データの編集指示が入力された場合、前記操作部に対する操作に基づいて、当該データ通信装置のユーザのユーザ権限を取得する第２取得手段と、
前記第２取得手段で取得したユーザ権限と、前記アドレス帳データ中の各アドレス情報に設定されているセキュリティレベルに基づいて、前記アドレス帳データ中のアドレス情報を抽出する第２抽出手段と、
前記第２抽出手段で抽出したアドレス情報からなるアドレス帳データを編集するための編集画面を表示する第２表示手段と
を更に備えることを特徴とする請求項３に記載のデータ通信装置。
【請求項５】
前記第１抽出手段で抽出したアドレス情報からなるアドレス帳データを、ネットワークを介して接続される、アドレス情報を管理する情報処理装置へ送信する送信手段を更に備える
ことを特徴とする請求項３に記載のデータ通信装置。
【請求項６】
データ送信部を有するデータ通信装置と、前記データ通信装置が利用するアドレス情報を管理する情報処理装置とがネットワークを介して接続されて構成されるアドレス管理システムであって、
前記情報処理装置は、
送信先となるアドレス情報毎にセキュリティレベルを設定したアドレス帳データを記憶する記憶手段と、
前記データ通信装置から発行される前記アドレス帳データのダウンロード要求を受信する第１受信手段と、
前記ダウンロード要求を発行した前記データ通信装置のユーザのユーザ権限と、前記アドレス帳データ中の各アドレス情報に設定されているセキュリティレベルに基づいて、前記アドレス帳データ中のアドレス情報を抽出する抽出手段と、
前記抽出手段で抽出したアドレス情報からなるアドレス帳データを前記データ通信装置へ送信する第１送信手段とを備え、
前記データ通信装置は、
前記情報処理装置へ、当該データ通信装置のユーザのユーザ権限を送信する第２送信手段と、
前記情報処理装置から、前記ユーザ権限に対応するアドレス帳データを受信する第２受信手段と
を備えることを特徴とするアドレス管理システム。
【請求項７】
データ送信部を有するデータ通信装置とネットワークを介して接続され、前記データ通信装置が利用するアドレス情報を管理する情報処理の制御方法であって、
前記データ通信装置から発行される前記アドレス帳データのダウンロード要求を受信する受信工程と、
前記ダウンロード要求を発行した前記データ通信装置のユーザのユーザ権限と、記憶媒体に記憶されているアドレス帳データ中の各アドレス情報に設定されているセキュリティレベルに基づいて、前記アドレス帳データ中のアドレス情報を抽出する抽出工程と、
前記抽出工程で抽出したアドレス情報からなるアドレス帳データを前記データ通信装置へ送信する送信工程と
を備えることを特徴とする情報処理装置の制御方法。
【請求項８】
データ送信部を有するデータ通信装置とネットワークを介して接続され、前記データ通信装置が利用するアドレス情報を管理する情報処理の制御をコンピュータに実行させるためのプログラムであって、
前記データ通信装置から発行される前記アドレス帳データのダウンロード要求を受信する受信工程と、
前記ダウンロード要求を発行した前記データ通信装置のユーザのユーザ権限と、記憶媒体に記憶されているアドレス帳データ中の各アドレス情報に設定されているセキュリティレベルに基づいて、前記アドレス帳データ中のアドレス情報を抽出する抽出工程と、
前記抽出工程で抽出したアドレス情報からなるアドレス帳データを前記データ通信装置へ送信する送信工程と
をコンピュータに実行させることを特徴とするプログラム。
【請求項９】
データ送信部と、ユーザからの操作を受け付ける操作部を有するデータ通信装置の制御方法であって、
前記操作部に対する操作に基づいて、当該データ通信装置のユーザのユーザ権限を取得する取得工程と、
前記取得工程で取得したユーザ権限と、記憶媒体に記憶されているアドレス帳データ中の各アドレス情報に設定されているセキュリティレベルに基づいて、前記アドレス帳データ中のアドレス情報を抽出する抽出工程と、
前記抽出工程で抽出したアドレス情報からなるアドレス帳データを表示する表示工程と
を備えることを特徴とするデータ通信装置の制御方法。
【請求項１０】
データ送信部と、ユーザからの操作を受け付ける操作部を有するデータ通信装置の制御をコンピュータに実行させるためのプログラムであって、
前記操作部に対する操作に基づいて、当該データ通信装置のユーザのユーザ権限を取得する取得工程と、
前記取得工程で取得したユーザ権限と、記憶媒体に記憶されているアドレス帳データ中の各アドレス情報に設定されているセキュリティレベルに基づいて、前記アドレス帳データ中のアドレス情報を抽出する抽出工程と、
前記抽出工程で抽出したアドレス情報からなるアドレス帳データを表示する表示工程と
をコンピュータに実行させることを特徴とするプログラム。
【手続補正２】
【補正対象書類名】明細書
【補正対象項目名】発明の名称
【補正方法】変更
【補正の内容】
【発明の名称】情報処理装置、データ通信装置及びそれらの制御方法、アドレス管理システム、プログラム
【手続補正３】
【補正対象書類名】明細書
【補正対象項目名】０００１
【補正方法】変更
【補正の内容】
【０００１】
本発明は、データ送信部を有するデータ通信装置と、前記データ通信装置が利用するアドレス情報を管理する情報処理装置とがネットワークを介して接続されて構成されるアドレス管理システムに関するものである。
【手続補正４】
【補正対象書類名】明細書
【補正対象項目名】０００８
【補正方法】変更
【補正の内容】
【０００８】
上記の目的を達成するための本発明による情報処理装置は以下の構成を備える。即ち、
アドレス情報に従ってデータの送信を行うデータ通信装置とネットワークを介して接続され、前記データ通信装置が利用するアドレス情報を管理する情報処理装置であって、
送信先となるアドレス情報毎にセキュリティレベルを設定したアドレス帳データを記憶する第１記憶手段と、
前記データ通信装置から発行される前記アドレス帳データのダウンロード要求を受信する第１受信手段と、
前記ダウンロード要求を発行した前記データ通信装置のユーザのユーザ権限と、前記アドレス帳データ中の各アドレス情報に設定されているセキュリティレベルに基づいて、前記アドレス帳データ中のアドレス情報を抽出する第１抽出手段と、
前記第１抽出手段で抽出したアドレス情報からなるアドレス帳データを前記データ通信装置へ送信する送信手段と
を備える。
【手続補正５】
【補正対象書類名】明細書
【補正対象項目名】０００９
【補正方法】変更
【補正の内容】
【０００９】
また、好ましくは、前記データ通信装置からアドレス帳データを受信する第２受信手段と、
前記第２受信手段で受信したアドレス帳データを前記データ通信装置のユーザのユーザ権限に基づいて、前記アドレス帳データ中のアドレス情報を抽出する第２抽出手段と、
前記第２抽出手段で抽出したアドレス情報からなるアドレス帳データを記憶する第２記憶手段と
を更に備える
【手続補正６】
【補正対象書類名】明細書
【補正対象項目名】００１０
【補正方法】変更
【補正の内容】
【００１０】
上記の目的を達成するための本発明によるデータ通信装置は以下の構成を備える。即ち、
データ送信部と、ユーザからの操作を受け付ける操作部を有するデータ通信装置であって、
前記データ送信部から送信する送信先となるアドレス情報毎にセキュリティレベルを設定したアドレス帳データを記憶する第１記憶手段と、
前記操作部に対する操作に基づいて、当該データ通信装置のユーザのユーザ権限を取得する第１取得手段と、
前記第１取得手段で取得したユーザ権限と、前記アドレス帳データ中の各アドレス情報に設定されているセキュリティレベルに基づいて、前記アドレス帳データ中のアドレス情報を抽出する第１抽出手段と、
前記第１抽出手段で抽出したアドレス情報からなるアドレス帳データを表示する第１表示手段と
を備える。
【手続補正７】
【補正対象書類名】明細書
【補正対象項目名】００１１
【補正方法】変更
【補正の内容】
【００１１】
また、好ましくは、前記操作部を介して、前記操作部を介して、前記アドレス帳データの編集指示が入力された場合、前記操作部に対する操作に基づいて、当該データ通信装置のユーザのユーザ権限を取得する第２取得手段と、
前記第２取得手段で取得したユーザ権限と、前記アドレス帳データ中の各アドレス情報に設定されているセキュリティレベルに基づいて、前記アドレス帳データ中のアドレス情報を抽出する第２抽出手段と、
前記第２抽出手段で抽出したアドレス情報からなるアドレス帳データを編集するための編集画面を表示する第２表示手段と
を更に備える。
【手続補正８】
【補正対象書類名】明細書
【補正対象項目名】００１３
【補正方法】変更
【補正の内容】
【００１３】
上記の目的を達成するための本発明によるアドレス管理システムは以下の構成を備える。即ち、
データ送信部を有するデータ通信装置と、前記データ通信装置が利用するアドレス情報を管理する情報処理装置とがネットワークを介して接続されて構成されるアドレス管理システムであって、
前記情報処理装置は、
送信先となるアドレス情報毎にセキュリティレベルを設定したアドレス帳データを記憶する記憶手段と、
前記データ通信装置から発行される前記アドレス帳データのダウンロード要求を受信する第１受信手段と、
前記ダウンロード要求を発行した前記データ通信装置のユーザのユーザ権限と、前記アドレス帳データ中の各アドレス情報に設定されているセキュリティレベルに基づいて、前記アドレス帳データ中のアドレス情報を抽出する抽出手段と、
前記抽出手段で抽出したアドレス情報からなるアドレス帳データを前記データ通信装置へ送信する第１送信手段とを備え、
前記データ通信装置は、
前記情報処理装置へ、当該データ通信装置のユーザのユーザ権限を送信する第２送信手段と、
前記情報処理装置から、前記ユーザ権限に対応するアドレス帳データを受信する第２受信手段と
を備える。
【手続補正９】
【補正対象書類名】明細書
【補正対象項目名】００１４
【補正方法】変更
【補正の内容】
【００１４】
上記の目的を達成するための本発明による情報処理装置の制御方法は以下の構成を備える。即ち、
データ送信部を有するデータ通信装置とネットワークを介して接続され、前記データ通信装置が利用するアドレス情報を管理する情報処理の制御方法であって、
前記データ通信装置から発行される前記アドレス帳データのダウンロード要求を受信する受信工程と、
前記ダウンロード要求を発行した前記データ通信装置のユーザのユーザ権限と、記憶媒体に記憶されているアドレス帳データ中の各アドレス情報に設定されているセキュリティレベルに基づいて、前記アドレス帳データ中のアドレス情報を抽出する抽出工程と、
前記抽出工程で抽出したアドレス情報からなるアドレス帳データを前記データ通信装置へ送信する送信工程と
を備える。
【手続補正１０】
【補正対象書類名】明細書
【補正対象項目名】００１５
【補正方法】変更
【補正の内容】
【００１５】
上記の目的を達成するための本発明によるプログラムは以下の構成を備える。即ち、
データ送信部を有するデータ通信装置とネットワークを介して接続され、前記データ通信装置が利用するアドレス情報を管理する情報処理の制御をコンピュータに実行させるためのプログラムであって、
前記データ通信装置から発行される前記アドレス帳データのダウンロード要求を受信する受信工程と、
前記ダウンロード要求を発行した前記データ通信装置のユーザのユーザ権限と、記憶媒体に記憶されているアドレス帳データ中の各アドレス情報に設定されているセキュリティレベルに基づいて、前記アドレス帳データ中のアドレス情報を抽出する抽出工程と、
前記抽出工程で抽出したアドレス情報からなるアドレス帳データを前記データ通信装置へ送信する送信工程と
をコンピュータに実行させることを特徴とする。
【手続補正１１】
【補正対象書類名】明細書
【補正対象項目名】００１６
【補正方法】変更
【補正の内容】
【００１６】
上記の目的を達成するための本発明による画像処理装置の制御方法は以下の構成を備える。即ち、
データ送信部と、ユーザからの操作を受け付ける操作部を有するデータ通信装置の制御方法であって、
前記操作部に対する操作に基づいて、当該データ通信装置のユーザのユーザ権限を取得する取得工程と、
前記取得工程で取得したユーザ権限と、記憶媒体に記憶されているアドレス帳データ中の各アドレス情報に設定されているセキュリティレベルに基づいて、前記アドレス帳データ中のアドレス情報を抽出する抽出工程と、
前記抽出工程で抽出したアドレス情報からなるアドレス帳データを表示する表示工程と
を備える。
【手続補正１２】
【補正対象書類名】明細書
【補正対象項目名】００１７
【補正方法】変更
【補正の内容】
【００１７】
上記の目的を達成するための本発明によるプログラムは以下の構成を備える。即ち、
データ送信部と、ユーザからの操作を受け付ける操作部を有するデータ通信装置の制御をコンピュータに実行させるためのプログラムであって、
前記操作部に対する操作に基づいて、当該データ通信装置のユーザのユーザ権限を取得する取得工程と、
前記取得工程で取得したユーザ権限と、記憶媒体に記憶されているアドレス帳データ中の各アドレス情報に設定されているセキュリティレベルに基づいて、前記アドレス帳データ中のアドレス情報を抽出する抽出工程と、
前記抽出工程で抽出したアドレス情報からなるアドレス帳データを表示する表示工程と
をコンピュータに実行させることを特徴とする。
【手続補正１３】
【補正対象書類名】明細書
【補正対象項目名】００１８
【補正方法】変更
【補正の内容】
【００１８】
本発明によれば、アドレス帳データに関するセキュリティを向上することができる情報処理装置、データ通信装置及びそれらの制御方法、アドレス管理システム、プログラムを提供できる。